(57)【特許請求の範囲】
【請求項１】
第１及び第２の無指向性マイクロホンからの第１及び第２の音声信号をそれぞれステレオ化演算処理回路に供給し、該ステレオ化演算処理回路からのステレオ信号を記録媒体に記録するようにした音声信号記録装置において、
上記第１又は第２の音声信号のレベルを制御する第１のレベル制御手段と、
上記第１及び第２の音声信号の低周波数成分のレベルを検出するレベル検出手段と、
該レベル検出手段より得られる上記第１又は第２の音声信号の低周波数成分のレベルを制御する第２のレベル制御手段と、
上記レベル検出手段及び上記第２のレベル制御手段よりそれぞれ得られる音声信号のレベル差に応じたレベル制御信号を発生するレベル制御信号発生手段とを有し、
該レベル制御信号発生手段よりのレベル制御信号によって、上記第１及び第２のレベル制御手段を制御して、上記第１及び第２の音声信号のレベル差を無くすようにしたことを特徴とする音声信号記録装置。
【請求項２】
請求項１に記載の音声信号記録装置において、
上記レベル検出手段で検出する低周波成分をその音声信号の波長の１／２が上記第１及び第２のマイクロホン間の間隔以上とすることを特徴とする音声信号記録装置。
【請求項３】
請求項１に記載の音声信号記録装置において、
上記レベル検出手段より得られる上記第１又は第２の音声信号のレベルを判定するレベル判定手段と、
該レベル判定手段による判定レベルが所定レベル以下のときは、上記第１及び第２の音声信号のレベルを上記第１又は上記第２の音声信号のどちらか一方に切換える切換え手段とを設けたことを特徴とする音声信号記録装置。
【請求項４】
請求項１に記載の音声信号記録装置において、
上記レベル検出手段及び上記第２のレベル制御手段よりそれぞれ得られる音声信号のレベル差を判定するレベル差判定手段を設け、
該レベル差判定手段によって判定されたレベル差が第１の所定レベル以下又は第２の所定レベル以上のときは、上記レベル制御信号発生手段よりのレベル制御信号を前置ホールドすることを特徴とする音声信号記録装置。
【請求項５】
請求項１に記載の音声信号記録装置において、
上記第１及び第２の無指向性マイクロホンからの上記第１及び第２の音声信号の通路のそれぞれに、上記レベル検出手段の遅延時間に相当する遅延時間を有する遅延手段を挿入したことを特徴とする音声信号記録装置。
【発明の詳細な説明】
【０００１】
【発明の属する技術分野】
本発明は、音声信号記録装置に関する。
【０００２】
【従来の技術】
以下に、図１及び図２について、従来の音声信号記録装置（特開２００１−１７７９００公報参照）について説明する。先ず、図１の音声信号記録装置について説明する。この音声信号記録装置は、ビデオカメラ一体型デジタルＶＴＲ（ヘリカルスキャン型ビデオ／オーディオ記録再生装置）に設けられている。
【０００３】
１Ｌ、１Ｒは、一対の無指向性マイクロホン（ＭＩＣ）、即ち、左及び右無指向性マイクロホンで、ビデオカメラ一体型デジタルＶＴＲのハウジング内に取付けられている。マイクロホン１Ｌ、１Ｒ間の間隔は、例えば、３０ｍｍである。
【０００４】
一対の無指向性マイクロホン１Ｌ、１Ｒよりの左及び右音声信号１Ｌ、１Ｒは、それぞれ演算増幅器からなる増幅器２、２によって増幅された後、その各増幅出力２Ｌ、２Ｒは、ＡＧＣ回路３に供給されて、それぞれ自動利得制御される。ＡＧＣ回路３よりのそれぞれ自動利得制御された左及び右音声信号３Ｌ、３Ｒは、Ａ／Ｄ変換器４、４に供給されて、それぞれデジタル左及び右音声信号４Ｌ、４Ｒに変換される。
【０００５】
例えば、Ａ／Ｄ変換器４よりのデジタル右音声信号４Ｒがレベル制御回路８に供給されてレベル制御され、そのレベル制御されたデジタル右音声信号８Ｒが、ステレオ化演算処理回路５に供給される。Ａ／Ｄ変換器４よりのデジタル左音声信号４Ｌは直接、ステレオ化演算処理回路５に供給される。
【０００６】
Ａ／Ｄ変換器４よりのデジタル左音声信号４Ｌ及びレベル制御回路８よりのデジタル右音声信号８Ｒが、レベル差検出／検波処理回路６に供給される。このレベル差検出／検波処理回路６は、デジタル左及び右音声信号４Ｌ、８Ｒの低周波数成分、即ち、例えば、５．７ｋＨｚ以下の低周波数成分のレベル差を検出し、このレベル差に応じたレベル制御信号をレベル制御回路８に供給して、Ａ／Ｄ変換器４からのデジタル右音声信号４Ｒのレベルを制御して、デジタル左音声信号４Ｌ及びデジタル右音声信号８Ｒ間のレベル差が最小になるようにしている。
【０００７】
レベル差検出／検波処理回路６において、デジタル左及び右音声信号４Ｌ、８Ｒの５．７ｋＨｚ以下の低周波数成分のレベル差を検出するようにした理由を説明する。一対の無指向性マイクロホン１Ｌ、１Ｒ間の間隔ｄは、上述したように、３０ｍｍとしたので、この間隔ｄが波長λの１／２より小となる（ｄ＜λ／２）周波数成分のレベルを検出し、その差を得ることにより、左及び右音声信号の５．７ｋＨｚ以下の周波数成分のレベル差を検出するようにしている。
【０００８】
そして、５．７ｋＨｚ以下の低周波数成分のレベル差が最小となるデジタル左及び右音声信号４Ｌ、８Ｒをステレオ化演算処理回路５に供給し、このステレオ化演算処理回路５では、デジタル左及び右音声信号４Ｌ、８Ｒをマトリクス回路やイコライジング回路を用いて演算処理することによって、有指向性のデジタルステレオ信号５Ｌ、５Ｒを得る。この有指向性のデジタルステレオ信号５Ｌ、５Ｒを、記録系信号処理回路を通じて、磁気ヘッド等の記録手段に供給して、磁気テープ等の記録媒体に記録する。
【０００９】
図１の音声信号記録装置によれば、ステレオ化演算処理回路５の前段の一対の無指向性マイクロホン１Ｌ、１Ｒ及び一対の増幅器２、２等に特性のばらつきがあっても、左及び右音声信号のレベル差を常に監視し、これを最小にすることができるため、記録媒体よりの再生されたステレオ音声信号は、ステレオ音場の定位が乱れることはない。しかし、その反面、誤差を検出してフィードバックを掛けるため、収束する前にレベル差が後段に出力される欠点がある。
【００１０】
次に、図２の音声信号記録装置について説明する。図２において、図１と対応する部分には同一符号を付して、重複説明を省略する。図１の音声信号記録装置と同様に、自動利得制御回路３の出力側に得られる左及び右音声信号３Ｌ、３Ｒを、Ａ／Ｄ変換器４、４に供給して、それぞれデジタル左及び右音声信号４Ｌ、４Ｒに変換する。
【００１１】
そして、例えば、デジタル右音声信号４Ｒをレベル制御回路８に供給し、そのレベル制御されたデジタル右音声信号８Ｒをステレオ化演算処理回路５に供給し、デジタル左音声信号４Ｌは直接ステレオ化演算処理回路５に供給する。
【００１２】
Ａ／Ｄ変換器４よりのデジタル左音声信号４Ｌ及びＡ／Ｄ変換器４よりのデジタル右音声信号４Ｒが、レベル差検出／検波処理回路６に供給される。このレベル差検出／検波処理回路６は、デジタル左及び右音声信号４Ｌ、８Ｒの低周波数成分、即ち、例えば、５．７ｋＨｚ以下の低周波数成分のレベル差を検出し、このレベル差に応じたレベル制御信号をレベル制御回路８に供給して、Ａ／Ｄ変換器４からのデジタル右音声信号４Ｒのレベルを制御し、デジタル左音声信号４Ｌ及びデジタル右音声信号８Ｒ間のレベル差が最小になるようにする。
【００１３】
図２の音声信号記録装置によれば、ステレオ化演算処理回路５の前段の一対の無指向性マイクロホン１Ｌ、１Ｒ及び一対の増幅器２、２等に特性のばらつきがあっても、左及び右音声信号のレベル差を最小にすることができ、チャンネル間のレベル差を事前に監視し、吸収できるため、収束時のレベル差を後段に出力しない利点があり、記録媒体よりの再生されたステレオ音声信号は、ステレオ音場の定位が乱れることはない。又、図２の音声信号記録装置によれば、ステレオ化演算処理回路５、レベル制御回路８及びレベル差検出／検波処理回路６をデジタル回路で構成できるので、ＬＳＩへの内蔵が容易である。その反面、レベル差検出／検波処理回路６やレベル制御回路８の合わせ込みが必要であり、レベル差の誤差が出易い欠点がある。
【００１４】
【発明が解決しようとする課題】
かかる点に鑑み、本発明は、図１及び図２について説明した従来のフィードバック方式及びフィードフォワード方式の音声信号記録信号記録装置の利点を合わせ持つ音声信号記録装置を提案しようとするものである。
【００１５】
【課題を解決するための手段】
第１の発明は、第１及び第２の無指向性マイクロホンからの第１及び第２の音声信号をそれぞれステレオ化演算処理回路に供給し、そのステレオ化演算処理回路からのステレオ信号を記録媒体に記録するようにした音声信号記録装置において、第１又は第２の音声信号のレベルを制御する第１のレベル制御手段と、第１及び第２の音声信号の低周波数成分のレベルを検出するレベル検出手段と、そのレベル検出手段より得られる第１又は第２の音声信号の低周波数成分のレベルを制御する第２のレベル制御手段と、レベル検出手段及び第２のレベル制御手段よりそれぞれ得られる音声信号のレベル差に応じたレベル制御信号を発生するレベル制御信号発生手段とを有し、そのレベル制御信号発生手段よりのレベル制御信号によって、第１及び第２のレベル制御手段を制御して、第１及び第２の音声信号のレベル差を無くすようにした音声信号記録装置である。
【００１６】
第１の発明によれば、第１のレベル制御手段によって、第１又は第２の音声信号のレベルを制御し、レベル検出手段によって、第１及び第２の音声信号の低周波数成分のレベルを検出し、第２のレベル制御手段によって、そのレベル検出手段より得られる第１又は第２の音声信号の低周波数成分のレベルを制御し、レベル制御信号発生手段によって、レベル検出手段及び第２のレベル制御手段よりそれぞれ得られる音声信号のレベル差に応じたレベル制御信号を発生させ、そのレベル制御信号発生手段よりのレベル制御信号によって、第１及び第２のレベル制御手段を制御して、第１及び第２の音声信号のレベル差を無くすようにする。
【００１７】
第２の発明は、第１の発明の音声信号記録装置において、レベル検出手段で検出する低周波成分をその音声信号の波長の１／２が第１及び第２のマイクロホン間の間隔以上とする音声信号記録装置である。
【００１８】
第３の発明は、第１の発明の音声信号記録装置において、レベル検出手段より得られる第１又は第２の音声信号のレベルを判定するレベル判定手段と、そのレベル判定手段による判定レベルが所定レベル以下のときは、第１及び第２の音声信号のレベルを第１又は第２の音声信号のどちらか一方に切換える切換え手段とを設けた音声信号記録装置である。
【００１９】
第４の発明は、第１の発明の音声信号記録装置において、レベル検出手段及び第２のレベル制御手段よりそれぞれ得られる音声信号のレベル差を判定するレベル差判定手段を設け、そのレベル差判定手段によって判定されたレベル差が第１の所定レベル以下又は第２の所定レベル以上のときは、レベル制御信号発生手段よりのレベル制御信号を前置ホールドするようにしたものである。
【００２０】
第５の発明は、第１の発明の音声信号記録装置において、第１及び第２の無指向性マイクロホンからの第１及び第２の音声信号の通路のそれぞれに、レベル検出手段の遅延時間に相当する遅延時間を有する遅延手段を挿入した音声信号記録装置である。
【００２１】
【発明の実施の形態】
以下に、図３を参照して、本発明の実施の形態の音声信号記録装置の一例を詳細に説明するも、図３において、図１及び図２と対応する部分には、同一符号を付して説明する。
【００２２】
１Ｌ、１Ｒは、一対の無指向性マイクロホン（ＭＩＣ）、即ち、左及び右無指向性マイクロホンで、ビデオカメラ一体型デジタルＶＴＲのハウジング内に取付けられている。マイクロホン１Ｌ、１Ｒ間の間隔は、例えば、３０ｍｍである。
【００２３】
一対の無指向性マイクロホン１Ｌ、１Ｒよりの左及び右音声信号１Ｌ、１Ｒは、それぞれ演算増幅器からなる増幅器２、２によって増幅された後、その各増幅出力２Ｌ、２Ｒは、ＡＧＣ回路３に供給されて、それぞれ自動利得制御される。ＡＧＣ回路３よりのそれぞれ自動利得制御された左及び右音声信号３Ｌ、３Ｒは、Ａ／Ｄ変換器４、４に供給されて、それぞれデジタル左及び右音声信号４Ｌ、４Ｒに変換される。
【００２４】
例えば、Ａ／Ｄ変換器４よりのデジタル右音声信号４Ｒがレベル制御回路８に供給されてレベル制御され、そのレベル制御されたデジタル右音声信号８Ｒが、ステレオ化演算処理回路５に供給される。Ａ／Ｄ変換器４よりのデジタル左音声信号４Ｌは直接、ステレオ化演算処理回路５に供給される。
【００２５】
Ａ／Ｄ変換器４、４よりのデジタル左及び右音声信号４Ｌ、４Ｒが、レベル差検出／検波処理回路１０に供給される。Ａ／Ｄ変換器４よりのデジタル右音声信号４Ｒは、レベル差検出／検波処理回路１０の一部の回路によって信号処理され、その信号処理されたデジタル右音声信号１０Ｒがレベル制御回路１１によってレベルが制御され、そのレベル制御されたデジタル右音声信号１１Ｒが、再び、レベル差検出／検波処理回路１０に供給される。
【００２６】
レベル差検出／検波処理回路１０よりレベル制御信号７が出力され、このレベル制御信号７によって、レベル制御回路８はフィードフォワード式に制御され、レベル制御回路１１はフィードバック式に制御される。
【００２７】
そして、５．７ｋＨｚ以下の低周波数成分のレベル差が最小となるデジタル左及び右音声信号４Ｌ、８Ｒをステレオ化演算処理回路５に供給し、このステレオ化演算処理回路５では、デジタル左及び右音声信号４Ｌ、８Ｒをマトリクス回路やイコライジング回路を用いて演算処理することによって、有指向性のデジタルステレオ信号５Ｌ、５Ｒを得る。この有指向性のデジタルステレオ信号５Ｌ、５Ｒを、記録系信号処理回路を通じて、磁気ヘッド等の記録手段に供給して、磁気テープ等の記録媒体に記録する。この記録媒体は、磁気ディスク、光ディスク等も可能である。
【００２８】
次に、図４を参照して、図３の音声信号記録装置におけるレベル差検出／検波処理回路１０の具体構成例を説明する。図３のＡ／Ｄ変換器４、４よりのデジタル左及び右音声信号４Ｌ、４Ｒが、ローパスフィルタ４１、４２に供給されて、所定の周波数以下に帯域制限された後、それぞれ絶対値化回路４３、４４に供給されて、絶対値化処理される。
【００２９】
絶対値化回路４３よりの絶対値化されたデジタル左音声信号は、ピーク検波回路４５に供給されてピーク検波され、そのピーク検波出力は、加算器（減算器）４７の＋側入力端子に供給される。一方、絶対値化回路４４よりの絶対値化されたデジタル右音声信号は、上述のレベル制御回路１１を通じて、ピーク検波回路４６に供給されてピーク検波され、そのピーク検波出力は、加算器（減算器）４７の−側入力端子に供給されて、ピーク検波回路４５の検波出力から減算される。
【００３０】
加算器（減算器）４７からの減算出力は、符号検出回路４８に供給されて、その減算出力の符号が検出される。符号検出回路４８の符号出力は、制御信号生成回路４９に供給され、その制御信号生成回路４９よりの制御信号は、時定数付加回路５０に供給されて時定数が付加されて、レベル制御信号７が出力される。このレベル制御信号７は、レベル制御回路８及び１１を制御する。そして、ピーク検波回路４５の検波出力であるデジタル左音声信号のレベルと、レベル制御回路１１の次段のピーク検波回路４６の検波出力であるデジタル右音声信号のレベルとの差に応じたレベル制御信号７を発生するレベル制御信号発生手段（回路）を、加算器（減算器）４７、符号検出回路４８及び制御信号生成回路４９にて構成している。このレベル制御信号発生手段（回路）に、時定数付加回路５０を加えることもできる。
【００３１】
このレベル制御信号７は、レベル制御回路１１をも制御するため、デジタル左音声信号４Ｌのレベルが、デジタル右音声信号４Ｒのレベルより大きい（小さい）場合は、符号検出回路４８は＋符号（−符号）を検出するため、レベル制御信号７はレベル制御回路１１を制御して、デジタル右音声信号１０Ｒのレベルを大きく（小さく）し、そのレベルが大きく（小さく）されたデジタル右音声信号１１Ｒがレベル制御回路１１から出力される。これにより、ピーク検波回路４５、４６の出力のレベル差が等しいか、又は最小になるようにされる。
【００３２】
従って、図３の音声信号記録装置においては、レベル制御信号７をレベル制御回路８に供給することで、ステレオ化演算回路５に供給されるデジタル左音声信号４Ｌ及びデジタル右音声信号８Ｒのレベルを等しく（略等しく）することができる。尚、レベル制御回路８、１１は同様に構成される。レベル制御回路８、１１は、共にデジタルレベル制御回路によって構成されているので、それぞれの回路特性のばらつきをゼロにすることができる。
【００３３】
次に、図５を参照して、図３の音声信号記録装置におけるレベル差検出／検波処理回路１０の他の具体構成例を説明する。尚、図５において、図４と対応する部分には同一符号を付して重複説明を省略し、図４とは異なる部分を説明する。
【００３４】
先ず、レベル判定回路（レベル判定／切換え回路）２０を設けて、絶対値化回路４３、４４よりの絶対値化されたデジタル左及び右音声信号の内少なくとも一方のレベルが所定レベル以下になったか否かを判定し、両方のレベルが所定レベルを越えているときは、絶対値化回路４４よりのデジタル右音声信号４４Ｒをレベル制御回路１１に供給し、絶対値化回路４３、４４よりの絶対値化されたデジタル左及び右音声信号の内少なくとも一方のレベルが所定レベル以下になったときは、絶対値化回路４３よりのデジタル左音声信号４３Ｌをレベル制御回路１１に供給するようにして、入力信号の同一化を図ることにより、レベル制御回路１１の入出力ゲインを０ｄＢに初期化する。
【００３５】
このレベル判定回路（レベル判定／切換え回路）２０を設けたことによって、音声信号記録装置自体、又は、この音声信号記録装置が設けられた、例えば、ビデオカメラ一体型デジタルＶＴＲの電源投入時等の不安定時における誤動作を防ぐことができる。
【００３６】
次に、ホールド判定回路２１について述べるが、その前に、ホールド判定回路２１が設けられていない場合について述べる。加算器（減算器）４７の出力側には、ピーク検波回路４５、４６よりの、デジタル左及び右音声信号のピーク検波出力のレベル差が出力されるが、レベル制御処理が進み、ピーク検波回路４５、４６よりの、デジタル左及び右音声信号のピーク検波出力のレベルが等しくなると、ピーク検波回路４５、４６よりの、デジタル左及び右音声信号のピーク検波出力のいずれかに、僅かなレベルのノイズが発生しても、加算器（減算器）４７の出力側にレベル差信号が出力され、しかも、そのレベル差信号の符号は、頻繁に＋及び−を繰り返して、不安定動作の原因になる。又、一対の無指向性マイクロホンのいずれかに風雑音が入力した場合にも、加算器（減算器）４７の出力側に大きなレベルのレベル差信号が出力し、この場合も誤動作の原因となる。
【００３７】
そこで、ホールド判定回路２１を設けて、そのホールド判定回路２１に加算器（減算器）４７の出力を供給し、その加算器（減算器）４７の出力のレベルが第１の所定レベルより小さいとき及び第２の所定レベルより大きいときは、制御信号生成回路４９よりのレベル制御信号を前置ホールドするように、制御信号生成回路４９を制御し、加算器（減算器）４７の出力のレベルが第１の所定レベルを越え、第２の所定レベル未満のときは、ホールド判定回路２１は、制御信号生成回路４９に対し、何らの影響も及ぼさない。
【００３８】
このホールド判定回路２１を設けることにより、ピーク検波回路４５、４６よりの、デジタル左及び右音声信号のピーク検波出力のレベルが等しくなり、ピーク検波回路４５、４６よりの、デジタル左及び右音声信号のピーク検波出力のいずれかに、僅かなレベルのノイズが発生したり、一対の無指向性マイクロホンのいずれかに風雑音が入力して、加算器（減算器）４７の出力側に大きなレベルのレベル差信号が出力する等の音声信号記録装置の誤動作を防止することができる。
【００３９】
次に、図６を参照して、本発明の実施の形態の音声信号記録装置の他の例を説明する。尚、図６においては、図３と対応する部分には、同一符号を付して重複説明を省略し、図６において、図３と異なる部分についてのみ説明を行う。
【００４０】
図６の音声信号記録装置では、レベル差検出／検波処理回路１０の遅延時間に等しい遅延時間を有する遅延手段（遅延線、遅延回路等）２０、２０を、Ａ／Ｄ変換器４、４の出力側と、ステレオ化演算処理回路５の入力側及びレベル制御回路８の入力側との間にそれぞれ挿入する。この場合、レベル差検出／検波処理回路１０の入力側には、Ａ／Ｄ変換器４、４よりのデジタル左及び右音声信号４Ｌ、４Ｒが直接供給される。
【００４１】
図６の音声信号記録装置によれば、レベル差検出／検波処理回路１０よりのレベル制御信号７が、レベル差検出／検波処理回路１０により遅れた場合でも、本線側信号とタイミングを合わせて、レベル制御回路８、１１を制御することができるので、チャンネル間レベル差は殆ど出力されない。
【００４２】
尚、図６の音声信号記録装置におけるレベル差検出／検波処理回路１０として、図４又は図５の具体例を適用することができる。
【００４３】
次に、図７を参照して、本発明の実施の形態の音声信号記録装置の更に他の例を説明する。尚、図７においては、図３と対応する部分には、同一符号を付して重複説明を省略し、図７において、図３と異なる部分についてのみ説明を行う。
【００４４】
図７においては、一対の左及び右マイクロホン１Ｌ、１Ｒの他に中央マイクロホン１Ｃを追加し、マイクロホン１Ｌ、１Ｒ、１Ｃの各位置が正三角形の各頂点に位置するように配した音声信号記録装置の場合である。尚、中央マイクロホン１Ｃは、左及び右マイクロホン１Ｌ、１Ｒに対し後方に位置するが、本発明においては、各マイクロホン１Ｌ、１Ｒ、１Ｃ間の間隔が波長λの１／２より小であれば、この配置に限らず適用可能である。
【００４５】
図７において、図６と対応する部分に同一符号を付し、図６とは異なる部分のみを説明する。中央マイクロホン（ＭＩＣ）１Ｃよりの中央音声信号１Ｃを、増幅器（ＡＭＰ）２に供給して増幅した後、その増幅された中央音声信号２ＣをＡＧＣ回路３に供給して、自動利得制御させる。自動利得制御された中央音声信号３ＣをＡ／Ｄ変換器４に供給して、デジタル中央音声信号４Ｃに変換する。そのデジタル中央音声信号４Ｃを、図６と同様の遅延手段２０に供給して遅延させた後、図６と同様のレベル制御回路８に供給してレベル制御した後、そのレベル制御されたデジタル中央音声信号８Ｃをステレオ化演算処理回路５に供給する。
【００４６】
図６におけるのと同様のレベル差検出／検波処理回路（図７における下側）１０の他にこれと同様のレベル差検出／検波処理回路（図７において上側）１０を設け、これよりのレベル制御信号７Ｃを、デジタル中央音声信号８Ｃの得られるレベル制御回路８に供給する。レベル制御信号７Ｃの得られるレベル差検出／検波処理回路１０には、Ａ／Ｄ変換器４、４よりのデジタル左音声信号４Ｌ及びデジタル中央音声信号４Ｃが供給される。
【００４７】
図７の音声信号記録装置においては、レベル制御信号７Ｒを、デジタル右音声信号８Ｒの出力されるレベル制御回路８に供給すると共に、レベル制御信号７Ｃを、デジタル中央音声信号８Ｃの出力されるレベル制御回路８に供給することで、ステレオ化演算回路５に供給される、遅延手段２０、２０、２０によってそれぞれ同じ遅延時間（レベル差検出／検波処理回路１０の遅延時間に等しい遅延時間）だけ遅延されたデジタル左音声信号、レベル制御回路８よりのデジタル右音声信号及びレベル制御回路８よりのデジタル中央音声信号の各レベルを等しくすることができる。
【００４８】
尚、図７の音声信号記録装置における各レベル差検出／検波処理回路１０として、図４又は図５の具体例を適用することができる。
【００４９】
【発明の効果】
第１の発明によれば、第１及び第２の無指向性マイクロホンからの第１及び第２の音声信号をそれぞれステレオ化演算処理回路に供給し、そのステレオ化演算処理回路からのステレオ信号を記録媒体に記録するようにした音声信号記録装置において、第１又は第２の音声信号のレベルを制御する第１のレベル制御手段と、第１及び第２の音声信号の低周波数成分のレベルを検出するレベル検出手段と、そのレベル検出手段より得られる第１又は第２の音声信号の低周波数成分のレベルを制御する第２のレベル制御手段と、レベル検出手段及び第２のレベル制御手段よりそれぞれ得られる音声信号のレベル差に応じたレベル制御信号を発生するレベル制御信号発生手段とを有し、そのレベル制御信号発生手段よりのレベル制御信号によって、第１及び第２のレベル制御手段を制御して、第１及び第２の音声信号のレベル差を無くすようにしたので、フィードフォワード方式の応答性の良さと、フィードバック方式のレベル誤差の少なさを兼ね備えた音声信号記録装置を得ることができる。
【００５０】
第２の発明によれば、第１の発明の音声信号記録装置において、レベル検出手段で検出する低周波成分をその音声信号の波長の１／２が第１及び第２のマイクロホン間の間隔以上としたので、第１及び第２のマイクロホン間の間隔に影響されずに、常に安定に、両者のレベル誤差を最小にすることのできる音声信号記録装置を得ることができる。
【００５１】
第３の発明によれば、第１の発明の音声信号記録装置において、レベル検出手段より得られる第１又は第２の音声信号のレベルを判定するレベル判定手段と、そのレベル判定手段による判定レベルが所定レベル以下のときは、第１及び第２の音声信号のレベルを第１又は第２の音声信号のどちらか一方に切換える切換え手段とを設けたので、第１の発明の効果に加えて、電源ＯＮ時等の、微少音声信号入力時等による不安定さを抑えることのできる音声信号記録装置を得ることができる。
【００５２】
第４の発明によれば、第１の発明の音声信号記録装置において、レベル検出手段及び第２のレベル制御手段よりそれぞれ得られる音声信号のレベル差を判定するレベル差判定手段を設け、そのレベル差判定手段によって判定されたレベル差が第１の所定レベル以下又は第２の所定レベル以上のときは、レベル制御信号発生手段よりのレベル制御信号を前置ホールドするようにしたので、第１の発明の効果に加えて、レベルバランス補正が収束した後のレベル制御信号のばらつきを抑え、且つ、風雑音による影響を抑えることができ、このためレベルバランスを安定化することのできる音声信号記録装置を得ることができる。
【００５３】
第５の発明によれば、第１の発明の音声信号記録装置において、第１及び第２の無指向性マイクロホンからの第１及び第２の音声信号の通路のそれぞれに、レベル検出手段の遅延時間に相当する遅延時間を有する遅延手段を挿入したので、第１の発明の効果に加えて、本線音声信号側にレベル差検出／検波処理に必要な時間遅延相当の遅延手段を挿入してタイミング合わせを行うことで、本線信号のレベル変化に遅れなくレベル補正を行うことのできる音声信号記録装置を得ることができる。
【図面の簡単な説明】
【図１】音声信号記録装置の従来例を示すブロック線図である。
【図２】音声信号記録装置の他の従来例を示すブロック線図である。
【図３】本発明の実施の形態の音声信号記録装置の一例を示すブロック線図である。
【図４】図３の音声信号記録装置におけるレベル差検出／検波処理回路の具体例を示すブロック線図である。
【図５】図３の音声信号記録装置におけるレベル差検出／検波処理回路の他の具体例を示すブロック線図である。
【図６】本発明の実施の形態の音声信号記録装置の他の一例を示すブロック線図である。
【図７】本発明の実施の形態の音声信号記録装置の更に他の一例を示すブロック線図である。
【符号の説明】
１Ｌ、１Ｒ、１Ｃ  無指向性マイクロホン、２、２、２  増幅器、３  ＡＧＣ回路、４、４、４  Ａ／Ｄ変換器、５  ステレオ化演算処理回路、７  レベル制御信号、８  レベル制御回路、１０  レベル差検出／検波処理回路、１１  レベル制御回路。
【図１】
0003861742.tif 000002
【図２】
0003861742.tif 000003
【図３】
0003861742.tif 000004
【図４】
0003861742.tif 000005
【図５】
0003861742.tif 000006
【図６】
0003861742.tif 000007
【図７】
0003861742.tif 000008